(57)【要約】【課題】極めて簡単な構造としながら、極めて正確な混合率で液肥を水に添加する。【解決手段】栽培養液の調合装置は、原液槽１の液肥を、制御部３で制御される液肥ポンプ２でもって、サイホン管４を介して計量槽５に移送し、計量槽５に蓄えられる液肥を、供給具７で調液槽６に移送し、調液槽６に給水機８から所定量の水を供給して栽培養液を調合する。計量槽５は、原液槽１よりも上方に配置している。液肥ポンプ２は、運転を停止する状態で液肥を逆流できるポンプである。サイホン管４は、その先端の開口部を液肥の計量液面レベルに配置している。調合装置は、液肥ポンプ２が所定量の液肥を計量槽５に供給して運転が停止される状態で、サイホン管４を介して計量槽５の液肥を原液槽１にサイホン作用で逆流させて、計量槽５に液肥を計量液面レベルで貯溜し、この計量槽５の液肥を調液槽６に供給して、調液槽６で水と液肥とを混合して栽培養液を調合する。【選択図】図１
2008029304.tif 000002
【特許請求の範囲】
【請求項１】
液肥を蓄える原液槽(1)と、この原液槽(1)に蓄える液肥を移送する液肥ポンプ(2)と、液肥ポンプ(2)の運転を制御する制御部(3)と、液肥ポンプ(2)の排出側に連結しているサイホン管(4)と、サイホン管(4)で移送される液肥が蓄えられる計量槽(5)と、この計量槽(5)に蓄えられる液肥が供給される調液槽(6)と、計量槽(5)から調液槽(6)に液肥を移送する給液具(7)と、調液槽(6)に所定量の水を供給する給水機(8)とを備え、
計量槽(5)が原液槽(1)よりも上方に配設されると共に、液肥ポンプ(2)は、液肥を移送するが運転を停止する状態で液肥を逆流できるポンプで、サイホン管(4)は、原液槽(1)よりも上方に配置している計量槽(5)に液肥を移送すると共に、その先端の開口部を計量槽(5)に供給される液肥の計量液面レベルに配置しており、
液肥ポンプ(2)が所定量の液肥を計量槽(5)に供給して運転が停止される状態で、サイホン管(4)を介して計量槽(5)の液肥を原液槽(1)にサイホン作用で逆流させて、計量槽(5)に液肥を計量液面レベルで貯溜し、この計量槽(5)の液肥が給液具(7)で調液槽(6)に供給されると共に、水が給水機(8)で調液槽(6)に供給されて、調液槽(6)で水と液肥とが混合されて植物の栽培養液を調合するようにしてなる栽培養液の調合装置。
【請求項２】
液肥ポンプ(2)が、渦巻きポンプ、タービンポンプ、カスケードポンプのいずれかである請求項１に記載される栽培養液の調合装置。
【請求項３】
サイホン管(4)の先端開口部(4A)を上下に移動して定位置に固定できる構造で計量槽(5)に連結している請求項１に記載される栽培養液の調合装置。
【請求項４】
液肥ポンプ(2)の制御部(3)が、計量槽(5)に設けられたレベルセンサである請求項１に記載される栽培養液の調合装置。
【請求項５】
計量槽(5)から調液槽(6)に液肥を供給する給液具(7)が、調液槽(6)に設けたボールタップで、このボールタップは、調液槽(6)の液面レベルが設定レベル以上で開弁して、設定レベル以下で閉弁し、計量槽(5)の液肥を調液槽(6)に供給する請求項１に記載される栽培養液の調合装置。
【請求項６】
調液槽(6)に水と液肥を混合する撹拌機(12)を設けている請求項１に記載される栽培養液の調合装置。
【請求項７】
調液槽(6)の栽培養液を蓄える養液槽(9)と、この調液槽(6)の栽培養液を養液槽(9)に移送する移送ポンプ(10)を備え、養液槽(9)に蓄える栽培養液が供給されるようにしてなる請求項１に記載される栽培養液の調合装置。
【発明の詳細な説明】
【技術分野】
【０００１】
本発明は、主として水耕栽培や養液栽培の灌水装置に使用される栽培養液を調合する装置に関し、とくに、水に一定の割合で液肥を混合する栽培養液の調合装置に関する。
【背景技術】
【０００２】
水耕栽培や養液栽培は、肥料を一定の濃度に希釈した栽培養液を供給して植物を生育させる。栽培養液は、水に一定の濃度に液肥を混合して製作される。このことを実現する栽培養液の調合装置は開発されている。（特許文献１及び２参照）
【特許文献１】特開２００４−４１１２８号公報
【特許文献２】特開２００４−２０１５８３号公報
【発明の開示】
【発明が解決しようとする課題】
【０００３】
これらの特許文献に記載される栽培養液の調合装置は、水に液肥を一定の割合で混合するために、水の流量に比例して、液肥ポンプの流量をコントロールする。すなわち、水の流量を流量センサで検出し、この流量センサで検出される水の流量に比例して、液肥ポンプの回転速度を制御する。この装置は、連続して移送される水に一定の濃度として正確な混合比で液肥を添加するのが難しく、また、濃度を正確にコントロールするほど、流量センサと液肥ポンプとこれを制御する機構に高い精度が要求されて、設備コストが極めて高くなる欠点がある。
【０００４】
さらに、従来の他の栽培養液の調合装置として、水と液肥を混合する調液槽と、混合された栽培養液の濃度を測定するＥＣセンサーを備える調合装置も開発されている。この調合装置は、調液槽で混合される栽培養液の濃度をＥＣセンサーで測定し、所定の濃度に混合された栽培養液を植物に供給する。この調合装置は、調液された栽培養液が少なくなると、調液槽に水を補給し、さらに、ＥＣセンサーで測定される栽培養液の濃度が低くなると、ポンプで液肥を添加して栽培養液の濃度を所定の範囲となるように調整する。この調合装置は、ＥＣセンサーで濃度を測定しながら調液するので、栽培養液の濃度を所定の範囲に調整できる。ただ、ＥＣセンサーで正確に濃度を測定するには、調液槽に供給された水と液肥とを十分に撹拌して濃度を均一にする必要がある。それは、撹拌が十分でないと、濃度に斑が生じて、栽培養液を正確な濃度に調合できないからである。このため、この調合装置では、多量の栽培養液を短時間で正確に調液できない欠点がある。また、この調合装置は、ＥＣセンサーで検出した濃度に基づいて調液するので、栽培養液を、ある程度の幅のある範囲内の濃度にしか調液できす、極めて正確な混合比で調液できない欠点もある。さらに、ＥＣセンサーは高価であるため、設備コストが高くなる欠点もある。
【０００５】
本発明は、以上のような欠点を解決することを目的に開発されたものである。本発明の重要な目的は、極めて簡単な構造としながら、極めて正確な混合率で液肥を水に添加できる栽培養液の調合装置を提供することにある。
【課題を解決するための手段】
【０００６】
本発明の栽培養液の調合装置は、前述の目的を達成するために以下の構成を備える。
栽培養液の調合装置は、液肥を蓄える原液槽１と、この原液槽１に蓄える液肥を移送する液肥ポンプ２と、液肥ポンプ２の運転を制御する制御部３と、液肥ポンプ２の排出側に連結しているサイホン管４と、サイホン管４で移送される液肥が蓄えられる計量槽５と、この計量槽５に蓄えられる液肥が供給される調液槽６と、計量槽５から調液槽６に液肥を移送する給液具７と、調液槽６に所定量の水を供給する給水機８とを備える。計量槽５は、原液槽１よりも上方に配設している。液肥ポンプ２は、液肥を移送するが運転を停止する状態で液肥を逆流できるポンプである。サイホン管４は、原液槽１よりも上方に配置している計量槽５に液肥を移送すると共に、その先端の開口部を計量槽５に供給される液肥の計量液面レベルに配置している。栽培養液の調合装置は、液肥ポンプ２が所定量の液肥を計量槽５に供給して運転が停止される状態で、サイホン管４を介して計量槽５の液肥を原液槽１にサイホン作用で逆流させて、計量槽５に液肥を計量液面レベルで貯溜し、この計量槽５の液肥を給液具７で調液槽６に供給すると共に、給水機８で水を調液槽６に供給して、調液槽６で水と液肥とを混合して植物の栽培養液を調合する。
【０００７】
本発明の栽培養液の調合装置は、液肥ポンプ２を渦巻きポンプ、タービンポンプ、カスケードポンプのいずれかとすることができる。
【０００８】
本発明の栽培養液の調合装置は、サイホン管４の先端開口部４Ａを上下に移動して定位置に固定できる構造で計量槽５に連結することができる。
【０００９】
本発明の栽培養液の調合装置は、液肥ポンプ２の制御部３を、計量槽５に設けられたレベルセンサとすることができる。
【００１０】
本発明の栽培養液の調合装置は、計量槽５から調液槽６に液肥を供給する給液具７を、調液槽６に設けたボールタップとすることができる。このボールタップは、調液槽６の液面レベルが設定レベル以上で開弁して、設定レベル以下で閉弁して、計量槽５の液肥を調液槽６に供給することができる。
【００１１】
本発明の栽培養液の調合装置は、調液槽６に水と液肥を混合する撹拌機１２を設けることができる。
【００１２】
本発明の栽培養液の調合装置は、調液槽６の栽培養液を蓄える養液槽９と、この調液槽６の栽培養液を養液槽９に移送する移送ポンプ１０を備え、養液槽９に蓄える栽培養液を供給することができる。
【発明の効果】
【００１３】
本発明の栽培養液の調合装置は、極めて簡単な構造としながら、極めて正確な混合率で液肥を水に添加できる特長がある。それは、本発明の栽培養液の調合装置が、液肥ポンプから所定量の液肥を計量槽に供給して運転を停止する状態で、サイホン管を介して計量槽の液肥をサイホン作用で原液槽に逆流させて、計量槽に液肥を計量液面レベルで貯溜し、この計量槽の液肥を調液槽に供給して、調液槽で水と液肥とを混合して栽培養液を調合するからである。本発明の調合装置は、従来のように、水の流量を検出し、この流量に比例して液肥ポンプの回転速度を制御して、液肥の流量をコントロールするのではない。本発明の調合装置は、液肥ポンプで計量槽に所定量の液肥を移送するが、計量槽に供給した液肥をサイホン管のサイホン作用で原液槽に逆流させて、計量槽に一定量の液肥を計量し、これを調液槽に供給して一定濃度の栽培養液を調合する。したがって、水の流量を検出する流量センサーや、液肥の流量を正確にコントロールしながら移送する液肥ポンプ等のように、高い精度を必要とする機構が要求されず、極めて簡単な構造として設備コストを低減しながら、一定量を液肥を正確に計量して、極めて正確な混合比で液肥を水に添加して栽培養液を調合できる。
【発明を実施するための最良の形態】
【００１４】
以下、本発明の実施例を図面に基づいて説明する。ただし、以下に示す実施例は、本発明の技術思想を具体化するための栽培養液の調合装置を例示するものであって、本発明は栽培養液の調合装置を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図１に示す栽培養液の調合装置は、液肥を蓄える原液槽１と、この原液槽１に蓄える液肥を移送する液肥ポンプ２と、液肥ポンプ２の運転を制御する制御部３と、液肥ポンプ２の排出側に連結しているサイホン管４と、サイホン管４で移送される液肥が蓄えられる計量槽５と、この計量槽５に蓄えられる液肥が供給される調液槽６と、計量槽５から調液槽６に液肥を移送する給液具７と、調液槽６に所定量の水を供給する給水機８とを備える。さらに、図の栽培養液の調合装置は、調液槽６の栽培養液を蓄える養液槽９と、この調液槽６の栽培養液を養液槽９に移送する移送ポンプ１０を設けて、養液槽９に蓄える栽培養液を供給するようにしている。
【００１７】
図の栽培養液の調合装置は、２種の異なる液肥を水に混合するので、２つの原液槽１を備える。各々の原液槽１は、水に混合する液肥を蓄えている。
【００１８】
液肥ポンプ２は、原液槽１の底部に吸入側を連結して、吐き出し側にサイホン管４を連結している。液肥ポンプ２は、サイホン管４を介して原液槽１を計量槽５に連結する。液肥ポンプ２は、運転する状態では原液槽１の液肥を吸入して計量槽５に移送するが、運転を停止する状態では、液肥を逆流できる構造のポンプを使用する。それは、本発明の装置が、液肥ポンプ２の運転を停止する状態で、液肥ポンプ２に液肥を通過させて、サイホン管４でもって計量槽５の液肥を原液槽１に逆流して、計量槽５に正確な量に計量して液肥を蓄えるためである。この種のポンプとして、モータで駆動される、渦巻きポンプ、タービンポンプ、カスケードポンプ等の軸流ポンプを使用する。軸流ポンプは、ケーシング内でインペラを回転させて液体を移送するが、回転するインペラとケーシングとの間に液体が逆流する隙間があるので、インペラの回転を停止させると、この隙間を通過して液肥が逆流する。とくに、渦巻きポンプとタービンポンプはこの隙間が大きく、インペラの回転を停止して液肥を逆流できる。一般的な軸流ポンプは、吐き出し側に逆流を阻止する逆止弁を設けて、インペラの回転を停止する状態での逆流を防止するが、本発明はサイホン管４で液体を逆流させる必要があるので、吐き出し側には逆止弁を連結しない。
【００１９】
液肥ポンプ２は、原液槽１の液面レベルよりも下に配設される。サイホン管４で液肥を逆流させた後、インペラを回転してから、吸入側の空気を排気しないで、すなわち向かい水を送ったり、エアー抜きをすることなく液肥を移送するためである。とくに、本発明の装置は、サイホン管４で液肥を逆流させるので、液肥ポンプ２が原液槽１の液面よりも高い位置に配置されると、液肥ポンプ２の運転を停止する状態で、液肥ポンプ２から液肥が排出されてしまう。この状態の液肥ポンプ２は、吸入側に空気が溜まり、向かい水を送ったりエアー抜きをしないと液肥を移送できなくなる。図の装置は、液肥ポンプ２を原液槽１の液面レベルよりも下に配設し、サイホン管４の液肥を逆流した後も、液肥ポンプ２の吸入側に液肥を満たすようにしている。液肥ポンプ２は、各々の原液槽１に連結されて、各々の原液槽１に蓄える液肥を各々の計量槽５に移送する。
【００２０】
制御部３は、液肥ポンプ２の運転を制御して、液肥ポンプ２でもって原液槽１の液肥を計量槽５に移送する。制御部３は、液肥ポンプ２の運転を制御するが、液肥ポンプ２が液肥を特定量に計量して移送するようには制御しない。制御部３は、計量槽５で計量されるよりも多量の液肥を計量槽５に移送するように、液肥ポンプ２の運転を制御する。したがって、制御部３は、液肥ポンプ２の運転を正確にコントロールする必要はなく、たとえば、計量槽５に液肥を満たすように液肥ポンプ２を運転する。
【００２１】
図の制御部３は、計量槽５の液面を検出するレベルセンサのフロートスイッチ１１を備える。フロートスイッチ１１は、計量槽５に供給される液肥が所定のレベルになると、液肥ポンプ２の運転を停止する。フロートスイッチ１１が液肥ポンプ２の運転を停止する液面レベルは、計量槽５が液肥を計量するレベルではなく、計量レベルよりも高く設定している。栽培養液の調合装置は、栽培する植物の種類により、あるいは季節によって液肥の濃度を変化させる。制御部３は液肥の濃度を特定するものではないので、最大濃度にできる液肥を計量槽５に移送するように、液肥ポンプ２を制御する。図の制御部３は、フロートスイッチ１１で計量槽５に供給する液肥を検出して、液肥ポンプ２を制御する。ただし、本発明は、制御部をフロートスイッチで液面レベルを検出するものに特定しない。制御部は、液肥ポンプが原液槽から計量槽に所定量の液肥を移送できる全てのもの、たとえばタイマーも使用できる。タイマーは、液肥ポンプの運転時間を特定して、原液槽から計量槽に所定量の液肥を移送する。
【００２２】
サイホン管４は、計量槽５に蓄える液肥量を正確に調整する。本発明の装置は、計量槽５に一定量の液肥を蓄え、これを調液槽６に供給して、一定濃度の栽培養液とするが、液肥ポンプ２が計量槽５に移送する液肥量をコントロールして、栽培養液の液肥濃度を調整するのではない。サイホン管４が計量槽５から原液槽１にサイホン作用で液肥を逆流して、栽培養液の液肥濃度を調整する。サイホン管４は、その先端の開口部を、計量槽５で計量される液肥の液面レベルである計量液面レベルに配設している。このサイホン管４は、液肥ポンプ２の運転が停止された後、サイホン作用で、計量槽５の液肥を吸入して、原液槽１に逆流させる。サイホン管４は、図２に示すように、液肥の液面レベルが先端開口部４Ａに等しくなるまで、液肥を計量槽５から原液槽１に逆流させる。計量槽５の液肥の液面レベルがサイホン管４の先端開口部４Ａよりも高いとき、先端開口部４Ａが液肥の液中にあって液肥を逆流させる。液面レベルが低下して、液面レベルがサイホン管４の先端開口部４Ａよりも低くなると、サイホン管４の先端開口部４Ａは空気中に表出して、空気を吸入する。サイホン管４が空気を吸入すると、サイホン作用で液肥を逆流できなくなって、サイホン管４は液肥を原液槽１に逆流しなくなる。したがって、液肥の液面レベルは、正確にサイホン管４の先端開口部４Ａのレベルに等しくなる。したがって、サイホン管４の先端開口部４Ａの高さを調整して、液肥の計量液面レベルを調整し、計量槽５に蓄える液肥量を正確にコントロールできる。サイホン管４は、計量槽５の液肥量を特定するために、サイホン管４の先端開口部４Ａを上下に移動して定位置に固定できる構造で計量槽５に連結される。
【００２３】
計量槽５は、調液槽６で混合する栽培養液の液肥濃度を特定する。いいかえると、ここに蓄える液肥量で栽培養液の液肥濃度を決定する。計量槽５は一定量の液肥が蓄えられる。計量槽５に蓄えられる液肥は、液肥ポンプ２で供給された後、サイホン管４で液肥を原液槽１に逆流させて、一定量にコントロールされた正確な量の液肥を蓄える。計量槽５は、サイホン管４で液肥を逆流できるように、原液槽１よりも上方に配置される。計量槽５は蓄える液肥を調液槽６に供給して、調液槽６で一定濃度の栽培養液とするので、栽培養液を最も高い濃度にできる量の液肥を蓄えられる容積に設計される。
【００２４】
調液槽６は、水と液肥とを混合して、一定濃度の栽培養液を調合する。液肥は計量槽５から供給され、水は給水機８で供給される。調液槽６は一定量の液肥と、一定量の水が供給されて、一定濃度の栽培養液を調合する。図の調液槽６は、液肥と水を混合する撹拌機１２を備える。図の撹拌機１２は、液中に配設されて、栽培養液を吸入し、これを排出するポンプである。撹拌機１２には、栽培養液を羽根で撹拌するポンプ、あるいはエアリフトポンプ等が使用できる。
【００２５】
給液具７は、計量槽５に蓄えられた液肥を、計量槽５から調液槽６に供給する。図の給液具７は、調液槽６に設けられたボールタップである。給液具７のボールタップは、液面レベルで上下するフロート１３を備え、このフロート１３の上下で弁を開閉する。給液具７のボールタップは、調液槽６の液面レベルが設定レベル以下でフロート１３が降下して閉弁される。この状態で計量槽５に一定量の液肥が供給して蓄えられる。調液槽６に水が供給されて、液面レベルが上昇して、調液槽６の液面レベルが設定レベル以上に上昇すると、フロート１３が上昇して開弁する。給液具７のボールタップが開弁すると、計量槽５に蓄えている液肥が計量槽５から調液槽６に供給される。計量槽５から調液槽６に液肥を自然に流下して供給するために、計量槽５は調液槽６よりも上方に配設している。
【００２６】
ボールタップからなる給液具７は、簡単な構造で確実に動作して、計量槽５の液肥を調液槽６に供給できる。また、調液槽６の液面レベルで自動的に開閉されるので、開閉を制御する専用の機構を設ける必要がない。ただし、給液具は、計量槽に蓄える液肥を調液槽に移送できる全ての機構、たとえば、調液槽の液面レベルを検出して開閉され、あるいはタイマーやシーケンサーなどで開閉される電磁弁、あるいは計量槽の液肥を吸入して調液槽に移送するポンプなども使用できる。給液具にポンプを使用する装置は、必ずしも計量槽を調液槽より上方に配設する必要がない。
【００２７】
給水機８は、調液槽６に所定量の水を供給する。図の給水機８は、調液槽６の底部に連結している清水弁１４と、この清水弁１４の開閉を制御するレベルセンサであるフロートスイッチ１５と備える。レベルセンサであるフロートスイッチ１５は、調液槽６の上下に配設されて、供給される水の上限レベルと下限レベルを決定する。この給水機８は、調液槽６の水が排出されて液面レベルが下限レベルまで低下すると、下のフロートスイッチ１５が下限レベルを検出して、清水弁１４を開弁する。清水弁１４が開弁されると、調液槽６に水が供給される。調液槽６は、水が供給されて液面レベルが上限レベルまで上昇すると、上のフロートスイッチ１５が上限レベルを検出して清水弁１４を閉弁する。清水弁１４が閉弁されると、水の供給が停止される。したがって、以上の給水機８は、調液槽６から栽培養液が排出されて液面レベルが下限レベルまで低下すると、上限レベルまで水を供給する。この給水機８は、清水弁１４と、上限レベルと下限レベルを検出するフロートスイッチ１５とからなるが、本発明は、給水機をこの機構には特定しない。たとえば、給水機は、清水ポンプと、このポンプの運転を制御する上限レベルと下限レベルのレベルセンサとで構成することもできる。また、清水弁を開く時間で、一定量の水を調液槽に供給できる場合、いいかえると、清水弁を開く状態で供給される水の単位時間の流量が一定の場合、清水弁の開弁時間をタイマーで特定して、調液槽に一定量の水を供給することもできる。さらに、清水ポンプを運転する時間で、一定量の水を調液槽に供給できる場合、いいかえると、清水ポンプの単位時間の流量が一定の場合、清水ポンプの運転時間をタイマーで特定して、調液槽に一定量の水を供給することもできる。
【００２８】
養液槽９は、調液槽６で調合された栽培養液を一時的に蓄えて、水耕栽培の苗床などに供給する。養液槽９は、一度に苗床に供給する栽培養液を蓄えている。養液槽９を備える調合装置は、養液槽９に蓄える栽培養液を供給するので、一時に多量の栽培養液を供給でき、また、いつでも所定の液肥濃度に調整された栽培養液を供給できる。ただし、本発明の調合装置は、必ずしも養液槽を設けることなく、調液槽から直接に苗床などの栽培養液を供給することもできる。ただし、調液槽から直接に苗床に栽培養液を供給する装置は、調液槽で特定濃度の栽培養液を調合した後、これを苗床に供給し、栽培養液を調合する途中では、調液槽から苗床に栽培養液を供給しない。
【００２９】
移送ポンプ１０は、調液槽６で調合された栽培養液を、調液槽６から養液槽９に移送する。図の移送ポンプ１０は水中ポンプで、調液槽６の液中に配設している。液中の移送ポンプ１０は、向かい水を送ったり、エアー抜きをする必要がなく、運転するときには、常に栽培養液を調液槽６から養液槽９に移送できる。この移送ポンプ１０の運転は、養液槽９の底部に設けているレベルセンサであるフロートスイッチ１６と、調液槽６の底部に設けているレベルセンサであるフロートスイッチ１５に制御される。
【００３０】
移送ポンプ１０は、以下の動作をして、調液槽６から養液槽９に栽培養液を移送する。
（１）養液槽９に蓄えられる栽培養液が排出されると、養液槽９の液面レベルが低下する。養液槽９の液面レベルが下限レベルまで低下すると、養液槽９の底部に設けているフロートスイッチ１６がこの状態を検出して、移送ポンプ１０を運転する。
（２）運転される移送ポンプ１０は、調液槽６に蓄えている栽培養液を養液槽９に移送する。調液槽６は栽培養液が排出されて液面レベルが次第に低下する。
（３）調液槽６の液面レベルが下限レベルまで低下すると、このことが調液槽６の底部に設けているレベルセンサのフロートスイッチ１５に検出される。調液槽６の下限レベルを検出するレベルセンサは、移送ポンプ１０の運転を停止する。
【００３１】
移送ポンプ１０が、調整済みの栽培養液を調液槽６から排出すると、以下の工程で、所定の液肥濃度に調整された栽培養液が調合される。
（１）調液槽６の下のフロートスイッチ１５が、液面レベルが下限レベルまで低下したことを検出すると、清水弁１４が開弁されると共に、液肥ポンプ２の運転が開始される。開弁された清水弁１４は、調液槽６に水の供給を開始する。このとき、調液槽６の液面レベルは、給液具７であるボールタップよりも下方にあり、給液具７のボールタップは閉弁している。閉弁しているボールタップは、計量槽５の液肥を調液槽６に供給しない。調液槽６には水が供給されているので、液面レベルは次第に上昇する。
（２）運転を開始した液肥ポンプ２は、原液槽１の液肥を計量槽５に移送する。図の装置は、２種の液肥を２組の液肥ポンプ２で別々の計量槽５に移送する。計量槽５に所定量の液肥が供給されると、制御部３がこのことを検出して、液肥ポンプ２の運転を停止する。液肥ポンプ２が停止するとき、計量槽５の液面レベルは、図２のＡで示すレベルであって、サイホン管４の先端開口部４Ａよりも上方にある。いいかえると、液面レベルが先端開口部４Ａよりも上方となるまで、液肥ポンプ２が運転される。
（３）液肥ポンプ２の運転が停止すると、図２の矢印で示すように、サイホン管４のサイホン作用で、計量槽５の液肥が原液槽１に逆流される。計量槽５の液面レベルが、図２のＢで示すサイホン管４の先端開口部４Ａのレベルになると、サイホン作用が起こらなくなって、計量槽５の液肥の逆流が停止される。この状態で、計量槽５に一定量の液肥が供給される。
（４）調液槽６は、開弁する清水弁１４から水が供給されているので、液面レベルが次第に上昇して、給液具７であるボールタップを開弁する。給液具７のボールタップが開弁すると、計量槽５の蓄えられている液肥が、調液槽６に流入される。計量槽５の液肥は、調液槽６よりも上方に配置しているので、全ての液肥を調液槽６に自然に流下させて移送する。
（５）さらに、調液槽６の液面レベルが上限レベルまで上昇すると、このことが、給水機８のレベルセンサ、正確には上のレベルセンサであるフロートスイッチ１５に検出されて、清水弁１４が閉弁される。この状態で、調液槽６には特定量の水が供給され、また各々の計量槽５からは特定量の液肥が供給される。
（６）撹拌機１２が運転されて、調液槽６の水と液肥とが十分に混合される。
【００３２】
以上の工程で、調液槽６に、特定の濃度に調整された栽培養液が蓄えられる。調液槽６の栽培養液は、移送ポンプ１０で養液槽９に移送され、養液槽９から苗床などに供給される。
【図面の簡単な説明】
【００３３】
【図１】本発明の一実施例にかかる栽培養液の調合装置を示す概略構成図である。
【図２】図１に示す調合装置の計量槽に一定量の液肥を計量する状態を示す拡大断面図である。
【符号の説明】
【００３４】
１…原液槽
２…液肥ポンプ
３…制御部
４…サイホン管
５…計量槽
６…調液槽
７…給液具
８…給水機
９…養液槽
１０…移送ポンプ
１１…フロートスイッチ
１２…攪拌機
１３…フロート
１４…清水弁
１５…フロートスイッチ
１６…フロートスイッチ
【図１】
2008029304.tif 000003
【図２】
2008029304.tif 000004